(57)【要約】      （修正有）【課題】雨樋の溝内に溜まった、落ち葉や、黄砂等の砂や塵埃等を簡単、かつ、安全に、取り除くことのできる雨樋内清掃装置を提供する。【解決手段】家屋Ｘの軒先に設置された雨樋であり、該雨樋の上面を保護カバーＹで覆った雨樋１において、該雨樋１の溝内であって、該雨樋１の長手方向にそって、取水管を設け、該取水管の適宜な位置ごとに、一又は複数のノズル孔を有する洗浄具３を設け、前記取水管は、水道管を介して送水管４と連通し、該送水管４には、地上ＧＬ付近に設置した止水詮Ｚを開閉することにより雨樋１の溝を洗浄する。【選択図】図４
0003169781.tif 000002
【実用新案登録請求の範囲】
【請求項１】
家屋（Ｘ）の軒先に設置された雨樋であり、該雨樋の上面を保護カバー（Ｙ）で覆った雨樋（１）において、該雨樋（１）の溝（１ａ）内であって、該雨樋（１）の長手方向にそって、取水管（２）を設け、該取水管（１）の適宜な位置ごとに、一又は複数のノズル孔（３ｃ）を有する洗浄具（３）を設け、前記取水管（１）は、水道管を介して送水管（４）と連通し、該送水管（４）には、地上（ＧＬ）付近に設置した止水詮（Ｚ）を開閉することにより雨樋（１）の溝を洗浄することを特徴とする雨樋内清掃装置。
【考案の詳細な説明】
【技術分野】
【０００１】
この考案は、雨樋内清掃装置に関する。
【背景技術】
【０００２】
元来、雨樋は、屋根を流れる雨水を受け集めて地上に流す装置であり、軒に渡すものを軒樋といい、その端に位置し、縦に渡す縦樋と連通され、地中の土管等に流れ落ちるものである。
【０００３】
そして、この雨樋の目的は、屋根に流れた雨水が、直接、地面に落下し、それにより、地面より跳ねた泥水が家屋の壁等に飛び散り、壁面が汚れることを防止し、家屋の壁面を雨水による腐食より保護することにより、家屋全体をも保護するものである。
【０００４】
しかし、雨樋（軒樋）を設置しておいても、永い間には、樋内には黄砂等の砂や風に飛ばされた面土、そして樹木から脱落した落ち葉や風に舞う枯れ葉等が樋内で堆積される結果、樋内の雨水の流れがせき止められ、樋の縁部より、地面に向けて雨水が溢れだし、やがて地面に向けて流れ落ちてしまい、結局は、家屋の壁面等を傷めてしまうという欠点があった。
【０００５】
そのため、雨樋は、定期的に清掃することが必要であるが、近年、雨樋に網状あるいは無数の有孔を有する鋼板材の雨樋カバーが設けられている。例えば、特許文献１のように。
【先行技術文献】
【特許文献】
【０００６】
【特許文献１】特開２０１０−２４８７６１号公報
【０００７】
しかし、この雨樋カバーも、落ち葉や風に舞った紙屑等が雨樋の溝内に落下するのは、充分に防止できるが、前述の黄砂や面土などの網状の目や有孔の径より細かい土・埃等の侵入は防止することができず、結局は定期的に雨樋の溝内に堆積したものを清掃しなければならなかった。
【０００８】
この雨樋の清掃は、脚立や梯子等に乗り、高所での作業であり、特に二階建ての家屋の雨樋では、その清掃作業が、転落等の人命に係わる危険が伴うものであり、雨樋の設置された高所での清掃作業が必要ない雨樋内清掃装置の開発・提供が待たれるところである。
【考案の概要】
【考案が解決しようとする課題】
【０００９】
そこで、考案が解決しようとする課題は、雨樋の溝内に溜まった、落ち葉や、黄砂等の砂や塵埃等を、簡単、かつ、安全に、取り除くことのできる雨樋内清掃装置を開発・提供することにある。
【課題を解決するための手段】
【００１０】
この考案による課題を解決するための手段としては、雨樋の上面を保護カバーで覆った雨樋において、雨樋の溝内に溜まった黄砂等の砂や塵埃等を取り除くため、脚立や梯子等に乗り、高所での危険な作業をすることなく、地上から、定期的に簡単、かつ安全に作動させることのできる雨樋内清掃装置である。
【考案の効果】
【００１１】
この考案によると、雨樋（１）に設置された保護カバー（Ｙ）によっては、補足されない溝内に堆積された塵埃、粒状・粉状の堆積物は、一または複数のノズル孔（３ｃ）を有する洗浄具（３）から、水圧により溝内の堆積物を吹き飛ばして清掃でき、また、清掃作業は、地上（ＧＬ）付近に位置し、前記取水管（１）と連通した送水管（４）に設けた止水詮（Ｚ）を開閉することにより行うことができ、安全、かつ、安易に清掃ができる等極めて有効なる効果を奏する。
【００１２】
さらに、長尺物の雨樋は、通常、中央部から、左右にそれぞれ下り勾配を有するように設置されるため、この洗浄具（３）は、単に、向きを変えて取水管（２）差し込むことにより、雨樋の下り勾配に向けて設置することができる等の効果も奏する。
【図面の簡単な説明】
【００１３】
【図１】この考案の一実施例を示し、（ａ）は、正面図であり、（ｂ）は、左側面図である。
【図２】この考案の使用状態の一例を示す一部欠截断面図である。
【図３】図２中のＩーＩ断面図である。
【図４】この考案の使用状態の一例を示す全体図である。
【考案を実施するための形態】
【００１４】
以下、この考案の好適な実施の形態について述べると、保護カバー（Ｙ）で覆われた雨樋（１）において、該雨樋（１）の溝内であって、該雨樋（１）の長手方向にそって、取水管（２）を設け、該取水管（２）の適宜を位置ごとに洗浄具（３）を設け、該洗浄具（３）のノズル孔（３ｃ）は、雨樋（１）の下り勾配の溝底に向けて設ける雨樋内清掃装置である。
【実施例】
【００１５】
そこで、この考案の一実施例を図１，図２，図３に基づいて詳細に説明すると、家屋（Ｘ）の軒先に設置された雨樋であり、該雨樋の上面を保護カバー（Ｙ）で覆った雨樋（１）において、該雨樋（１）の溝（１ａ）内であって、該雨樋（１）の長手方向にそって、取水管（２）を設け、該取水管（１）の適宜な位置ごとに、一又は複数のノズル孔（３ｃ）を有する洗浄具（３）を設け、前記取水管（１）は、水道管を介して送水管（４）と連通し、該送水管（４）には、地上（ＧＬ）付近に設置した止水詮（Ｚ）を開閉することにより雨樋（１）の溝を洗浄することを特徴とする雨樋内清掃装置から構成されるものである。
【００１６】
尚、取水管（２）に、洗浄具（３）を設ける間隔は、例えば、１．２ｍ毎に設けられ、縦樋（Ｗ）に向かって、下り勾配に施工されるものであり、屋根の形状は、寄棟つくり・切妻つくりに適用され、給水ＨＩ／１３径パイプを利用し、例えば、２Ｋｇの水圧に対して水圧利用で４０〜５０ｍの水洗が可能である。従って、１２メートルの雨樋（１）に対して、洗浄具（３）は１０個くらい必要とされる。
【００１７】
また、各洗浄具（３）は、それぞれ適宜な長さの取水管（２）と連通させており、該洗浄具（３）は、取水管（２）と接続する円筒形の保持具（３ａ）と、該保持具（３ａ）の軸芯から一定の角度（α）ほど斜め方向に設けられた分岐部（３ｂ）の端面に、一または複数のノズル孔（３ｃ）は、雨樋（１）の下り勾配に向くよう設置する。
【００１８】
また、該取水管（２）の雨樋（１）への装着手段は、家屋（Ｘ）の軒先より伸び、雨樋（１）を受ける既存の樋受け（図示せず）を利用して、該樋受けに、細めのワイヤーを用いて固定するか、あるいは、帯状の金属ベルトで、雨樋（１）の長手方向の一定間隔おきに、金属ベルト等の止め具を用いて固定してもよい。
【００１９】
雨樋（１）を流れる水は、該雨樋（１）の、端部、あるいは端部付近で連通した縦樋（Ｗ）を介して下水管等に流れており、従って、洗浄具（３）は、該縦樋（Ｗ）に向かって下り勾配に設置されるものである。
【００２０】
さらに、止水詮（Ｚ）は、地上（ＧＬ）付近に設けると記載したが、要するに、人が、楽に手の届く位置に設けるとの意味である。
【産業上の利用可能性】
【００２１】
この考案の雨樋内清掃装置の技術を確立し、該技術を実施・販売することにより、産業上利用可能性があるものである。
【符号の説明】
【００２２】
１  雨樋
１ａ  溝
２  取水管
３  洗浄具
３ａ  保持具
３ｂ  分岐部
３ｃ  ノズル孔
４  送水管
α  角度
Ｗ  縦樋
Ｘ  家屋
Ｙ  保護カバー
Ｚ  止水詮
【図１】
0003169781.tif 000003
【図２】
0003169781.tif 000004
【図３】
0003169781.tif 000005
【図４】
0003169781.tif 000006
【手続補正書】
【提出日】平成23年6月16日(2011.6.16)
【手続補正１】
【補正対象書類名】実用新案登録請求の範囲
【補正対象項目名】全文
【補正方法】変更
【補正の内容】
【実用新案登録請求の範囲】
【請求項１】
家屋（Ｘ）の軒先に設置された雨樋であり、該雨樋の上面を保護カバー（Ｙ）で覆った雨樋（１）において、
該雨樋（１）の溝（１ａ）内であって、該雨樋（１）の長手方向にそって、取水管（２）を設け、
該取水管（２）の適宜な位置ごとに、一又は複数のノズル孔（３ｃ）を有する洗浄具（３）を設け、
前記ノズル孔（３ｃ）を、雨樋（１）の下り勾配の溝底に向け、前記ノズル孔（３ｃ）より水圧により溝（１ａ）内の堆積物を吹き飛ばし、
前記取水管（２）は、水道管を介して送水管（４）と連通し、該送水管（４）には、地上（ＧＬ）付近に設置した止水詮（Ｚ）を開閉することにより雨樋（１）の溝を洗浄することを特徴とする雨樋内清掃装置。